(57)【要約】【課題】紫外線による釣り糸１２の劣化が生じにくく、かつリールへの釣り糸１２の巻き取りが容易な釣り糸パッケージ２の提供。【解決手段】パッケージ２は、包装材４、融着層６、ファスナー８、スプール１０、釣り糸１２、第一シール１４、第二シール１６、粘着層１８及び離型紙２０を備えている。包装材４は、袋状である。包装材４は、金属蒸着フィルムからなる。包装材４は、小孔３２を有している。スプール１０は、包装材４に収容されている。釣り糸１２は、スプール１０に巻かれている。釣り糸１２の端部４２は、スプール１０から引き出され、小孔３２を通過している。この端部４２は、包装材４の外部に露出している。第一シール１４は、小孔３２を塞いでいる。第一シール１４及び第二シール１６により、端部４２が包装材４の外面に固定されている。【選択図】図３
2008263873.tif 000002
【特許請求の範囲】
【請求項１】
釣り糸と、この釣り糸が巻かれた糸巻きと、この糸巻きが収容された包装材とを備えており、
この包装材の全部又は一部が、紫外線遮蔽材料からなり、
この包装材が、釣り糸が引き出されるための小孔を有している釣り糸パッケージ。
【請求項２】
上記包装材が、糸巻きが出し入れされるための口を有しており、
この口の開閉のためのファスナーをさらに備えた請求項１に記載の釣り糸パッケージ。
【請求項３】
上記包装材が袋状であり、かつ底面にまちを有する請求項１又は２に記載の釣り糸パッケージ。
【請求項４】
上記包装材の外面に貼着されたシールをさらに備えており、このシールによって小孔が実質的に塞がれている請求項１から３のいずれかに記載の釣り糸パッケージ。
【請求項５】
乾燥剤をさらに備えており、この乾燥剤が上記包装材に収容されている請求項４に記載の釣り糸パッケージ。
【請求項６】
上記釣り糸の端部が小孔から引き出されて包装材の外部に露出しており、この端部が包装材の外面に固定されている請求項１から５のいずれかに記載の釣り糸パッケージ。
【請求項７】
上記包装材の外面に固定された粘着層をさらに備えた請求項１から６のいずれかに記載の釣り糸パッケージ。
【請求項８】
上記小孔が糸巻きの上端よりも上方に位置する請求項１から７のいずれかに記載の釣り糸パッケージ。
【請求項９】
上記糸巻きがスプールであり、小孔の位置がこのスプールのセンターと実質的に一致している請求項１から７のいずれかに記載の釣り糸パッケージ。
【発明の詳細な説明】
【技術分野】
【０００１】
本発明は、釣り糸、糸巻き及び包装材を含むパッケージに関する。
【背景技術】
【０００２】
釣り糸は、ナイロン、ポリエチレン、フロロカーボン（ポリフッ化ビニリデン）のような合成樹脂からなる。釣り糸は、スプールに巻かれて出荷される。スプールは、包装されることなく流通し、店頭に陳列される。スプールが、ケースに収容されて流通することもある。ケースは、透明な樹脂からなる。消費者は、ケースを通して釣り糸を確認することができる。
【０００３】
スプールが包装されない場合、陳列中に釣り糸に紫外線が当たる。この紫外線により、釣り糸は劣化する。劣化により、釣り糸の強度が低下する。釣り糸が透明ケースで包装される場合も、紫外線による劣化が生じる。
【０００４】
特開２０００−２６２１９８公報には、紫外線を遮蔽しうるフィルムからなる、釣り糸用包装材が開示されている。この包装材にスプールが収容されて流通及び陳列されれば、釣り糸の劣化が抑制されうる。
【特許文献１】特開２０００−２６２１９８公報
【発明の開示】
【発明が解決しようとする課題】
【０００５】
上記包装材に収容された釣り糸を購入した消費者（釣り人）は、包装材を開封し、スプールを取り出す。釣り人は通常、包装材を廃棄し、スプールを保管する。保管中、釣り糸は紫外線で劣化する。
【０００６】
釣り人は、釣り糸をリールに巻き取る。このとき、釣り糸の繰り出しによってスプールが回転する。回転によってスプールは転がり、移動する。この移動は、釣り人を煩わせる。移動により、巻き取り作業の効率が下がる。
【０００７】
本発明の目的は、紫外線による釣り糸の劣化が生じにくく、かつリールへの釣り糸の巻き取りが容易な釣り糸パッケージの提供にある。
【課題を解決するための手段】
【０００８】
本発明に係る釣り糸パッケージは、釣り糸と、この釣り糸が巻かれた糸巻きと、この糸巻きが収容された包装材とを備える。この包装材の全部又は一部は、紫外線遮蔽材料からなる。この包装材は、釣り糸が引き出されるための小孔を有する。
【０００９】
好ましくは、包装材は、糸巻きが出し入れされるための口を有する。釣り糸パッケージは、この口の開閉のためのファスナーを備える。好ましくは、包装材は袋状であり、かつ底面にまちを有する。
【００１０】
好ましくは、このパッケージは、包装材の外面に貼着されたシールをさらに備える。このシールにより、小孔が実質的に塞がれる。好ましくは、パッケージは、乾燥剤をさらに備える。この乾燥剤は、包装材に収容される。
【００１１】
好ましくは、釣り糸の端部は、小孔から引き出されて包装材の外部に露出している。この端部は、包装材の外面に固定されている。
【００１２】
好ましくは、パッケージは、包装材の外面に固定された粘着層をさらに備える。
【００１３】
好ましくは、小孔は、糸巻きの上端よりも上方に位置する。糸巻きがスプールである場合、小孔の位置がこのスプールのセンターと一致してもよい。
【発明の効果】
【００１４】
本発明に係る釣り糸パッケージでは、糸巻きが包装材に収容されたまま、この包装材から釣り糸が引き出されうる。従って、釣り糸がリールに巻き取られるときでも、スプールが転がらない。リールへの釣り糸の巻き取りは、容易である。釣り糸の一部が引き出されて切り取られ、残余の釣り糸が糸巻きに巻かれたままで保管されても、糸巻きが包装材に収容されているので、釣り糸に紫外線が当たらない。この釣り糸パッケージでは、釣り糸の劣化が生じにくい。
【発明を実施するための最良の形態】
【００１５】
以下、適宜図面が参照されつつ、好ましい実施形態に基づいて本発明が詳細に説明される。
【００１６】
図１は本発明の一実施形態に係る釣り糸パッケージ２が示された正面図であり、図２はその背面図であり、図３は図１のIII−III線に沿った拡大断面図である。図１において、左右方向はこのパッケージ２の幅方向であり、上下方向はこのパッケージ２の高さ方向である。このパッケージ２は、包装材４、融着層６、ファスナー８（チャック）、糸巻きであるスプール１０、釣り糸１２、第一シール１４、第二シール１６、粘着層１８及び離型紙２０を備えている。
【００１７】
包装材４は、袋状を呈する。包装材４の上端近傍は、口２２である。包装材４は、表シート２４、裏シート２６及び底シート２８からなる。表シート２４と裏シート２６とは、幅方向両端で接合されている。底シート２８は、表シート２４及び裏シート２６に接合されている。これら接合は、熱融着によってなされうる。接着剤で接合がなされてもよい。底シート２８は、袋のまちを形成する。包装材４が箱状であってもよい。
【００１８】
包装材４は、切れ目３０を有している。切れ目３０は、融着層６とファスナー８との間に位置している。表シート２４は、小孔３２を有している。小孔３２の内寸は、釣り糸１２の外径よりも大きい。正面視において、小孔３２の位置は、スプール１０よりも上方である。小孔３２に、ハトメが取り付けられてもよい。
【００１９】
包装材４は、金属蒸着フィルムからなる。典型的な金属は、アルミニウム及びアルミニウム合金である。この包装材４は、紫外線を遮蔽する。紫外線を遮蔽しうる他の材料から、包装材４がなってもよい。紫外線を遮蔽しうる他の材料としては、紫外線吸収剤を含有する樹脂組成物、紫外線遮蔽粉末を含有する樹脂組成物、樹脂含浸紙、紙と樹脂との積層体、及び撥水加工が施された紙が例示される。
【００２０】
融着層６は、口２２の近傍に位置している。図１から明らかなように、融着層６は幅方向に延在している。図３から明らかなように、融着層６によって表シート２４と裏シート２６とが接合されている。
【００２１】
ファスナー８は、口２２の近傍に位置している。図１から明らかなように、ファスナー８は幅方向に延在している。図３に示されるように、ファスナー８は凸条３４と凹条３６とからなる。凸条３４は、表シート２４に接合されている。凹条３６は、裏シート２６に接合されている。凸条３４が凹条３６に嵌め込まれることで、口２２が気密に閉じられる。凸条３４が凹条３６から抜かれることにより、表シート２４と裏シート２６とが互いに離れうる。凸条３４が凹条３６から抜かれることにより、口２２が開かれうる。
【００２２】
スプール１０は、包装材４に収容されている。前述の通り、底シート２８によってまちが形成されているので、包装材４はスプール１０の収容に十分なスペースを有する。スプール１０は、硬質の合成樹脂からなる。スプール１０が、紙からなってもよい。スプール１０は、概してリング状である。スプール１０は、一対のフランジ４０を備えている。
【００２３】
釣り糸１２は、スプール１０に巻かれている。釣り糸１２は、道糸であっても鉤素であってもよい。釣り糸１２の端部４２は、スプール１０から引き出され、小孔３２を通過している。この端部４２は、包装材４の外部に露出している。
【００２４】
図１に示されるように、第一シール１４の面積は小孔３２の面積よりも大きい。図１及び３に示されるように、第一シール１４は小孔３２を覆っている。図示されていないが、第一シール１４の裏面には粘着剤が塗布されている。この粘着剤により、第一シール１４が表シート２４の外面に貼着されている。この貼着により、小孔３２が実質的に塞がれている。第一シール１４により、釣り糸１２の端部４２が表シート２４の外面に固定されている。
【００２５】
図示されていないが、第二シール１６の裏面には粘着剤が塗布されている。この粘着剤により、第二シール１６が表シート２４の外面に貼着されている。第二シール１６により、釣り糸１２の端部４２が表シート２４の外面に固定されている。
【００２６】
図３に示されるように、粘着層１８は、裏シート２６の外面に位置している。粘着層１８は、粘着性樹脂組成物からなる。典型的な樹脂組成物は、基材ポリマー、粘着付与剤、軟化剤及び可塑剤を含む。離型紙２０が、この粘着層１８を覆っている。
【００２７】
このパッケージ２は、図１から３に示された状態で出荷される。パッケージ２は流通し、店頭で陳列される。包装材４が紫外線遮蔽材料からなるので、陳列中、スプール１０に巻かれた釣り糸１２は紫外線に曝されない。この釣り糸１２は、劣化しにくい。
【００２８】
釣り人は、陳列されたパッケージ２の端部４２を見て、又は端部４２に触れて、釣り糸１２に関する情報を入手しうる。情報としては、釣り糸１２の色、太さ及び硬さが挙げられる。これらの情報に基づき、釣り人はパッケージ２を購入するか否かを判断できる。底シート２８が透明であってもよい。底シート２８が透明である場合、この底シート２８を介して、釣り人は釣り糸１２を見ることができる。底シート２８からは紫外線が入りにくいので、底シート２８が透明であっても釣り糸１２は、劣化しにくい。
【００２９】
このパッケージ２を購入した釣り人は、第一シール１４及び第二シール１６を剥がし、端部４２を引いて釣り糸１２を引き出す。釣り人は、釣り糸１２をリールに徐々に巻き取る。小孔３２がスプール１０よりも上方に位置しているので、巻き取りにより包装材４の中でスプール１０が回転する。回転により、小孔３２を通じて釣り糸１２が包装材４から円滑に引き出される。スプール１０は包装材４に収容されているので、スプール１０が回転しても、このスプール１０が転がって移動することがない。釣り人は、釣り糸１２をリールに容易に巻き取ることができる。前述の通り、底シート２８によってまちが形成されており、包装材４が十分なスペースを有するので、スプール１０は円滑に回転しうる。
【００３０】
離型紙２０が剥がされ、粘着層１８によってパッケージ２が床、壁等に固定されてもよい。固定により、釣り糸１２がリールに巻かれてもパッケージ２が浮き上がらない。釣り人は、さらに容易に、巻き取りを行うことができる。
【００３１】
所定量の釣り糸１２がリールに巻き取られると、釣り人は釣り糸１２を切断する。釣り人は、残余の釣り糸１２の端部４２を、第一シール１４又は第二シール１６によって包装材４に固定する。釣り人は、このパッケージ２を保管する。スプール１０が包装材４に収容されているので、保管中も、釣り糸１２は紫外線に曝されない。このパッケージ２では、保管中の釣り糸１２の劣化も抑制される。
【００３２】
第一シール１４によって小孔３２が塞がれれば、包装材４はほぼ気密状態となりうる。包装材４にシリカゲル等の乾燥剤が収容されれば、包装材４の内部の空気の低湿度が達成されうる。低湿度により、釣り糸１２の吸湿が抑制される。吸湿の抑制により、釣り糸１２の強度低下が抑制される。乾燥剤が、スプール１０に収容されてもよい。
【００３３】
釣り人は、切れ目３０を起点として包装材４を引き裂くことができる。引き裂きにより、融着層６の近傍が分離される。釣り人は、表シート２４と裏シート２６とを引っ張り、凸条３４を凹条３６から引き抜く。引き抜きにより。口２２が開く。釣り人は、包装材４からスプール１０を取り出し、釣り糸１２の残量等を確認することができる。釣り人は、スプール１０を包装材４の中に戻し、凸条３４を凹条３６に嵌め込む。嵌め込みにより、口２２が閉じて、包装材４の気密が達成される。
【００３４】
小孔３２の内径は、釣り糸１２の太さが勘案されて適宜決定される。内寸は、０．５ｍｍ以上５ｍｍ以下が好ましい。内寸が０．５ｍｍ以上である小孔３２を有するパッケージ２では、釣り糸１２が容易に引き出されうる。この観点から、内寸は１．０ｍｍ以上がより好ましい。内寸が５ｍｍ以下である小孔３２は、第一シール１４によって塞がれやすい。この観点から、内寸は３ｍｍ以下がより好ましい。
【００３５】
図１において、矢印Ｈ１で示されているのはスプール１０の上端の高さであり、矢印Ｈ２で示されているのは小孔３２の中心の高さである。スプール１０が円滑に回転するとの観点から、高さの差（Ｈ２−Ｈ１）は−１０ｍｍ以上が好ましく、０ｍｍ以上がより好ましく、１０ｍｍ以上が特に好ましい。包装材４のコンパクトの観点から、差（Ｈ２−Ｈ１）は３０ｍｍ以下が好ましい。パッケージ２の高さ方向が鉛直方向に一致するようにパッケージ２が吊り下げられた状態で、高さＨ１及びＨ２が測定される。
【００３６】
全ての釣り糸１２が引き出された後、釣り人は、ファスナー８を開いて口２２からスプール１０を取り出す。釣り人は、包装材４とスプール１０とを、分別して廃棄できる。
【００３７】
複数のパッケージ２が、粘着層１８によって連結されてもよい。連結により、複数のパッケージ２が一体として携帯されうる。例えば、互いの鉤素の太さが異なる複数のパッケージ２が、一体として、フィッシングウェアのポケット等に収納されうる。
【００３８】
スプール１０以外の糸巻きが、包装材４に収容されてもよい。この包装材４との組み合わせに特に適した糸巻きが、特許第３８９９１１７号公報に開示されている。この糸巻きは、１枚のシートに２つの筒部が取り付けられている。これら筒部の間に、釣り糸１２が「８」の字状に巻かれうる。シートが２つに折り畳まれて、包装材４に収容される。この糸巻きが採用されることにより、糸巻きから繰り出された後の釣り糸１２の撚れが抑制されうる。
【００３９】
特許第３８９９１１７号公報に開示された糸巻きが採用される場合も、この糸巻きの上端の高さＨ１と小孔３２の中心の高さＨ２との差（Ｈ２−Ｈ１）は−１０ｍｍ以上が好ましく、０ｍｍ以上がより好ましく、１０ｍｍ以上が特に好ましい。包装材４のコンパクトの観点から、差（Ｈ２−Ｈ１）は３０ｍｍ以下が好ましい。パッケージ２の高さ方向が鉛直方向に一致するようにパッケージ２が吊り下げられた状態で、高さＨ１及びＨ２が測定される。
【００４０】
図４は、本発明の他の実施形態に係る釣り糸パッケージ５２が示された断面図である。このパッケージ５２は、包装材５４、融着層６、ファスナー８、スプール１０、釣り糸１２、シール５６、粘着層１８及び離型紙２０を備えている。融着層６、ファスナー８、スプール１０、釣り糸１２、粘着層１８及び離型紙２０の構成は、図１から３に示されたパッケージ２のそれらと同一である。
【００４１】
この包装材５４の表シート５８は、小孔６０を備えている。正面視における小孔６０の位置は、スプール１０のセンターとほぼ一致している。釣り糸１２の端部４２は、小孔６０から引き出され、シール５６によって表シート５８の外面に固定されている。シール５６は、小孔６０を塞いでいる。
【００４２】
釣り人は、シール５６を剥がして端部４２を引く。小孔６０の位置がスプール１０のセンターとほぼ一致しているので、端部４２が引かれてもスプール１０は回転しない。釣り糸１２は、フランジ４０を乗り越えてスプール１０から繰り出される。このパッケージ５２では、スプール１０と包装材５４との間の摩擦熱が生じない。このパッケージ５２では、摩擦熱による釣り糸１２の劣化が生じない。
【００４３】
スプール１０の回転が確実に阻止されるとの観点から、スプール１０のセンターと小孔６０のセンターとの距離は、３０ｍｍ以下が好ましく、２０ｍｍ以下がより好ましく、１０ｍｍ以下が特に好ましい。この距離は、理想的にはゼロである。パッケージ５２の高さ方向が鉛直方向に一致するようにパッケージ５２が吊り下げられた状態で、距離が測定される。
【００４４】
小孔６０の内径は、釣り糸１２の太さが勘案されて適宜決定される。内寸は、０．５ｍｍ以上５ｍｍ以下が好ましい。内寸が０．５ｍｍ以上である小孔６０を有するパッケージ５２では、釣り糸１２が容易に引き出されうる。この観点から、内寸は１．０ｍｍ以上がより好ましい。内寸が５ｍｍ以下である小孔６０は、シール５６によって塞がれやすい。この観点から、内寸は３ｍｍ以下がより好ましい。
【産業上の利用可能性】
【００４５】
本発明に係る釣り糸パッケージには、種々の釣り糸が採用されうる。
【図面の簡単な説明】
【００４６】
【図１】図１は、本発明の一実施形態に係る釣り糸パッケージが示された正面図である。
【図２】図２は、図１のパッケージが示された背面図である。
【図３】図３は、図１のIII−III線に沿った拡大断面図である。
【図４】図４は、本発明の他の実施形態に係る釣り糸パッケージが示された断面図である。
【符号の説明】
【００４７】
２、５２・・・釣り糸パッケージ
４、５４・・・包装材
６・・・融着層
８・・・ファスナー
１０・・・スプール
１２・・・釣り糸
１４・・・第一シール
１６・・・第二シール
１８・・・粘着層
２０・・・離型紙
２２・・・口
２４、５８・・・表シート
２６・・・裏シート
２８・・・底シート
３０・・・切れ目
３２、６０・・・小孔
３４・・・凸条
３６・・・凹条
４０・・・フランジ
４２・・・端部
５６・・・シール
【図１】
2008263873.tif 000003
【図２】
2008263873.tif 000004
【図３】
2008263873.tif 000005
【図４】
2008263873.tif 000006